(57)【要約】【課題】  上板の相対移動を容易に行うことができる顕微鏡用ステージ及びこれを備える顕微鏡を提供すること。【解決手段】  下板１５と、下板１５に対してＸ方向、Ｙ方向に移動可能な上板１７と、下板１５と上板１７との間に配設されていてＸ方向、Ｙ方向への上板の移動を規制する中間ガイドユニット１６と、中間ガイドユニット１６をＹ方向に移動させるＹハンドルと上板１７をＸ方向に移動させるＸハンドルとを有するＸＹハンドルと、Ｘハンドル及びＹハンドルに連動して上板１７をＸ方向またはＹ方向へ移動させる伝達機構とを備える。【選択図】  図２
2006023625.tif 000002
【特許請求の範囲】
【請求項１】
下板と、該下板に対して異なる２方向に移動可能な上板と、前記下板と前記上板との間に配設されていて前記２方向への上板の移動を規制する中間ガイドユニットと、前記上板を前記一方向に移動させる第１操作部と前記上板を前記２方向の内の他方向に移動させる第２操作部とを有する操作ハンドルと、前記第１及び第２操作部に連動して前記上板を一方向または他方向へ移動させる伝達機構とを備えることを特徴とする顕微鏡用ステージ。
【請求項２】
前記操作ハンドルが、中間ガイドユニットに連結され、
前記伝達機構が、前記下板に設けられた第１ラックと、前記上板に設けられた第２ラックと、前記第１操作部に設けられて前記第１ラックに噛合する第１ピニオンと、前記第２操作部に設けられて前記第２ラックに噛合する第２ピニオンとを有し、
前記第１操作部の回転操作によって前記中間ガイドユニットと共に前記上板を前記一方向に移動させ、
前記第２操作部が、前記上板に設けられた第２ラックに噛合する第２ピニオンを有し、前記第２操作部の回転操作によって前記上板を前記他方向に移動させるようにしたことを特徴とする請求項１に記載の顕微鏡用ステージ。
【請求項３】
前記伝達機構が、前記下板に前記一方向に沿って延びるように穿孔された長穴を有し、
該長穴内に、前記操作ハンドルが挿入され、
該操作ハンドルが、前記第１ラック及び第２ラックに前記各ピニオンを噛合させた状態で前記長穴に沿って前記一方向に回転移動可能としたことを特徴とする請求項２に記載の顕微鏡用ステージ。
【請求項４】
前記操作ハンドルが、前記下板に連結され、
前記伝達機構が、前記中間ガイドユニットに設けられた第１ラックと、前記上板に設けられた第２ラックと、前記第１操作部に設けられて前記第１ラックに噛合する第１ピニオンと、前記第２操作部に設けられて前記第２ラックに噛合する第２ピニオンとを有し、
前記第１操作部の回転操作によって前記中間ガイドユニットと共に前記上板を前記一方向に移動させ、
前記第２操作部の回転操作によって前記上板を前記他方向に移動させるようにしたことを特徴とする請求項１に記載の顕微鏡用ステージ。
【請求項５】
前記伝達機構が、前記上板に形成されて前記第２ラックを前記一方向へ相対移動可能に装着する装着溝と、前記下板に前記他方向に沿って延びるように穿孔された長穴と、前記第２ラックに設けられた移動規制部材とを有し、
前記第２ラックが、前記上板の前記一方向への移動に関わらず前記第２ピニオンと噛合した静止状態に保持され、
前記長穴に、前記移動規制部材が挿入されて、前記上板及び前記中間ガイドユニットの前記他方向への移動を許容するようにしたことを特徴とする請求項４に記載の顕微鏡用ステージ。
【請求項６】
前記上板が、観察試料を載置して対物レンズの光軸に対して直交する平面内で前記２方向に移動可能とされた請求項１から５のいずれか１項に記載の顕微鏡用ステージを搭載したことを特徴とする顕微鏡。
【発明の詳細な説明】
【技術分野】
【０００１】
本発明は、観察試料を載置する顕微鏡用ステージ及びこれを備える顕微鏡に関する。
【背景技術】
【０００２】
一般的に、上面に観察試料が載置される上板が下板と摺動可能に面接触し、下板に対して相対移動する顕微鏡用ステージでは、ボールガイドなどの転がりガイドで構成された顕微鏡用ステージと比較して、静止性が高く、上板を直接手で動かすことによって上板を下板に対して相対移動させるものが多い。しかし、低倍率観察である場合には直接手で動かす構造であっても問題ないが、高倍率観察を行う場合には微小距離を移動させることが困難である。
そこで、Ｘ方向とＹ方向との２方向に独立して一対の押しピンなどを設け、両手もしくは片手でこの押しピンを操作して上板の相対移動を行う顕微鏡用ステージが提案されている（例えば、特許文献１参照）。
【特許文献１】特開２００３−３５８７２号公報（図１）
【発明の開示】
【発明が解決しようとする課題】
【０００３】
しかしながら、上記従来の顕微鏡用ステージにおいては、以下の問題がある。すなわち、上記従来の顕微鏡用ステージでは、一方の手をピント合わせに使用した場合、観察試料の移動は、もう一方の手で行うしかないため、Ｘ方向及びＹ方向とは異なる方向へ観察試料を移動させる場合であっても片手で操作するので、操作が煩雑であり、所望の観察位置に観察試料を移動させることが困難である。
【０００４】
本発明は上記の事情に鑑みてなされたものであり、上板が下板と摺動可能に面接触し、下板に対して相対移動する顕微鏡用ステージにおいて、上板の相対移動を容易に行うことができる顕微鏡用ステージ及びこれを備える顕微鏡を提供することを目的とする。
【課題を解決するための手段】
【０００５】
本発明は、前記課題を解決するために以下の構成を採用した。すなわち、本発明の顕微鏡用ステージは、下板と、該下板に対して異なる２方向に移動可能な上板と、前記下板と前記上板との間に配設されていて前記２方向への上板の移動を規制する中間ガイドユニットと、前記上板を前記一方向に移動させる第１操作部と前記上板を前記２方向の内の他方向に移動させる第２操作部とを有する操作ハンドルと、前記第１及び第２操作部に連動して前記上板を一方向または他方向へ移動させる伝達機構とを備えることを特徴とする。
【０００６】
この発明にかかる顕微鏡用ステージでは、伝達機構が第１操作部と連動することによって中間ガイドユニットが上板と共に一方向に移動し、伝達機構が第２操作部と連動することによって上板が他方向に移動する。したがって、第１及び第２操作部によって上板を下板に対して移動させるので、観察試料の観察位置を調節することが容易となる。
【０００７】
また、本発明の顕微鏡用ステージは、前記操作ハンドルが、中間ガイドユニットに連結され、前記伝達機構が、前記下板に設けられた第１ラックと、前記上板に設けられた第２ラックと、前記第１操作部に設けられて前記第１ラックに噛合する第１ピニオンと、前記第２操作部に設けられて前記第２ラックに噛合する第２ピニオンとを有し、前記第１操作部の回転操作によって前記中間ガイドユニットと共に前記上板を前記一方向に移動させ、前記第２操作部が、前記上板に設けられた第２ラックに噛合する第２ピニオンを有し、前記第２操作部の回転操作によって前記上板を前記他方向に移動させるようにしたことが好ましい。
この発明にかかる顕微鏡用ステージでは、第１操作部を回転させることで第１ピニオンと噛合する第１ラックによって中間ガイドユニットが上板と共に一方向に案内され、第２操作部を回転させることで第２ピニオンと噛合する第２ラックによって上板が他方向に案内される。このとき、操作ハンドルが中間ガイドユニット共に一方向に移動する。
【０００８】
また、本発明の顕微鏡用ステージは、前記伝達機構が、前記下板に前記一方向に沿って延びるように穿孔された長穴を有し、該長穴内に、前記操作ハンドルが挿入され、該操作ハンドルが、前記第１ラック及び第２ラックに前記各ピニオンを噛合させた状態で前記長穴に沿って前記一方向に回転移動可能としたことが好ましい。
この発明にかかる顕微鏡用ステージでは、第１操作部を回転させると、第１ピニオンと噛合する第１ラックによって、操作ハンドルが長穴に沿って一方向に移動する。
【０００９】
また、本発明の顕微鏡用ステージは、前記操作ハンドルが、前記下板に連結され、前記伝達機構が、前記中間ガイドユニットに設けられた第１ラックと、前記上板に設けられた第２ラックと、前記第１操作部に設けられて前記第１ラックに噛合する第１ピニオンと、前記第２操作部に設けられて前記第２ラックに噛合する第２ピニオンとを有し、前記第１操作部の回転操作によって前記中間ガイドユニットと共に前記上板を前記一方向に移動させ、前記第２操作部の回転操作によって前記上板を前記他方向に移動させるようにしたことが好ましい。
この発明にかかる顕微鏡用ステージでは、上述と同様に、第１操作部を回転させることで第１ピニオンと噛合する第１ラックによって中間ガイドユニットが上板と共に一方向に案内され、第２操作部を回転させることで第２ピニオンと噛合する第２ラックによって上板が他方向に案内される。
【００１０】
また、本発明の顕微鏡用ステージは、前記伝達機構が、前記上板に形成されて前記第２ラックを前記一方向へ相対移動可能に装着する装着溝と、前記下板に前記他方向に沿って延びるように穿孔された長穴と、前記第２ラックに設けられた移動規制部材とを有し、前記第２ラックが、前記上板の前記一方向への移動に関わらず前記第２ピニオンと噛合した静止状態に保持され、前記長穴に、前記移動規制部材が挿入されて、前記上板及び前記中間ガイドユニットの前記他方向への移動を許容するようにすることが好ましい。
この発明にかかる顕微鏡用ステージでは、第１操作部を回転させると、第１ピニオンと噛合する第１ラックによって上板が中間ガイドユニットと共に一方向に移動するが、このとき、第２ラックが移動規制部材によって一方向への移動が規制されているので、第２ラックと第２ピニオンとの噛合状態が保持される。このように、上板を下板に対して移動させても下板に連結された操作ハンドルが移動することがないので、観察が容易になる。
【００１１】
また、本発明の顕微鏡では、前記上板が、観察試料を載置して対物レンズの光軸に対して直交する平面内で前記２方向に移動可能とされた上記記載の顕微鏡用ステージを搭載したことを特徴とする。
この発明にかかる顕微鏡では、上述の顕微鏡用ステージを備えているので、第１及び第２操作部によって上板を下板に対して移動させるので、観察試料の観察位置を調節することが容易となる。
【発明の効果】
【００１２】
本発明の顕微鏡用ステージ及びこれを備える顕微鏡によれば、中間ガイドユニットによって上板が下板に対して異なる２方向のみに移動可能とされており、第１及び第２操作部を回動させることで上板を下板に対して移動させることができるので、観察試料の観察位置を調節することが容易となる。
【発明を実施するための最良の形態】
【００１３】
以下、本発明にかかる顕微鏡用ステージ及びこれを備える顕微鏡の第１の実施形態について、図１から図４を参照しながら説明する。
本実施形態による顕微鏡１は、倒立顕微鏡であって、図１に示すように、顕微鏡本体２と、観察試料Ｓを載置するステージ３と、落射投光管４の後端に固定されて観察試料Ｓに照明光を照射するランプ（図示略）が内蔵されたランプソケット５と、対物レンズ６が取り付けられているレボルバ７と、前記ランプの照明強度を調節する調光ボリューム８と、一端が顕微鏡本体２に取り付けられて他端に接眼レンズ９が設けられている鏡筒１０と、ステージ３の昇降を行う粗微動ハンドル１１を備えている。
【００１４】
ステージ３は、図２から図４に示すように、顕微鏡本体２に図示しないネジなどによって取り付け固定されている下板１５と、下板１５の上面に配置される中間ガイドユニット１６と、中間ガイドユニット１６の上面に配置される上板１７と、上板１７の下板１５に対する相対位置を調節して観察試料Ｓを対物レンズ６の光軸と垂直な平面内で移動させるＸＹハンドル（操作ハンドル）１８と、ＸＹハンドル１８の後述するＸハンドル（第２操作部）４２、Ｙハンドル（第１操作部）４３に連動して上板１７をＸ方向またはＹ方向へ移動させる伝達機構とを備えている。
なお、図２における＋Ｘ方向を右側とし、＋Ｙ方向を奥側とする。また、下板１５、中間ガイドユニット１６及び上板１７のそれぞれの中心を合わせた位置を基準位置とする。
【００１５】
下板１５は、平面視ほぼ正方形の板状部材であって、その中央に照明光を透過させるための貫通孔２１が形成され、図２において右手前側であって貫通孔２１と離間した位置にＸＹハンドル１８を貫通させる長穴であるハンドル貫通孔（長穴）２２が形成されている。
上述した伝達機構は、下板１５に設けられたＹラック（第１ラック）２５と、上板１７に設けられたＸラック（第２ラック）３８と、ＸＹハンドル１８の後述するＹハンドル（第１操作部）４３に設けられてＹラック（第１ラック）２５に噛合するＹピニオン（第１ピニオン）５７と、ＸＹハンドル１８の後述するＸハンドル（第２操作部）４２に設けられてＸラック３８に噛合するＸピニオン（第２ピニオン）５２とを備えている。
また、下板１５の観察試料Ｓと対向する一面である上面に、後述する一対のＹキー３３と摺動可能に嵌合する一対のＹ溝２３が貫通孔２１を介して対向するように形成されている。そして、ハンドル貫通孔２２に沿って薄肉となるフランジ部２４が形成されており、その上面にＹラック（第１ラック）２５が取り付け固定されている。
【００１６】
ハンドル貫通孔２２及び一対のＹ溝２３は、それぞれの長軸方向がＹ軸と平行となるように形成されている。ハンドル貫通孔２２の長軸方向の長さは、ＸＹハンドル１８の軸部５６の外径と、中間ガイドユニット１６の下板１５に対するＹ方向の摺動可能距離との和とほぼ等しくなるように形成されている。
Ｙラック２５は、その歯列がＹ軸方向と平行となるように、ハンドル貫通孔２２の長軸方向の縁部に沿って配置されている。
【００１７】
中間ガイドユニット１６は、上述した下板１５と同様に、平面視ほぼ正方形の板状部材であって、その中央に照明光を透過させるための貫通孔３１が形成されている。また、中間ガイドユニット１６の観察試料Ｓと対向する一面である上面には、一対のＸキー３２が、貫通孔３１を介して対向するように形成されている。また、Ｘキー３２と同様に、下面には、一対のＹキー３３が貫通孔３１を介して対向するように形成されている。
【００１８】
一対のＸキー３２は、Ｘ軸と平行となるように、上方に向かって形成された突状である。そして、上板１７に形成されているＸ溝３７にＸ軸方向に摺動可能となるよう嵌合されている。
一対のＹキー３３は、Ｘキー３２と同様に、Ｙ軸と平行となるように、下方に向かって形成された突状である。そして、下板１５に形成されているＹ溝２３に摺動可能に嵌合されている。
【００１９】
上板１７は、上述した下板１５及び中間ガイドユニット１６と同様に、平面視ほぼ正方形の板状部材であって、その中央に照明光を透過させるための貫通孔３５が形成されている。また、上板１７の下面には、その周縁に下板１５の上面と摺動可能に面接触するフランジ部３６が突出して形成されており、貫通孔３５を介して対向する位置にＸ溝３７が形成されている。また、上板１７の下面で基準位置において、平面視でハンドル貫通孔２２と直交する位置に、Ｘラック（第２ラック）３８が設けられている。
【００２０】
一対のＸ溝３７は、長軸方向がＸ軸と平行となるように形成されている。
Ｘラック（第２ラック）３８は、上述したＹラック（第１ラック）２５と同様に、その歯列がＸ軸方向と平行となるように配置されている。
【００２１】
ＸＹハンドル１８は、中間ガイドユニット１６の一角に連結されており、本体軸４１と、Ｘハンドル（第２操作部）４２と、Ｙハンドル（第１操作部）４３とが同軸に構成されている。
本体軸４１は、中心に貫通孔４５を有する中空の軸であって、軸部４６と、軸部４６の上端に設けられたフランジ部４７とによって構成されている。
フランジ部４７は、その外径が下板１５のハンドル貫通孔２２の短手方向の幅よりも大きく形成されており、中間ガイドユニット１６の一角に連結されている。
【００２２】
Ｘハンドル（第２操作部）４２は、本体軸４１の貫通孔４５に挿通された中実の軸で、その中心軸の軸回りで回動可能となっている。そして、Ｘハンドル４２は、軸部５１と、軸部５１上端に設けられたＸピニオン（第２ピニオン）５２と、軸部５１の下端に設けられた操作ノブ５３とによって構成されている。
Ｘピニオン５２は、その下面が本体軸４１のフランジ部４７の上面と当接しており、上板１７の下面に設けられたＸラック３８と噛合するように構成されている。
操作ノブ５３は、その外径が軸部５１の外径よりも大きくなるように形成されており、ラジアル方向から螺合されたネジ５４によって軸部５１に取り付け固定されている。
【００２３】
Ｙハンドル（第１操作部）４３は、中心に内径が本体軸４１の外径とほぼ同じである貫通孔５５を有する中空の軸であって、その中心軸の軸回りで回動可能となっている。そして、Ｙハンドル（第１操作部）４３は、軸部５６と、軸部５６の上端に設けられたＹピニオン（第１ピニオン）５７と、軸部５６の下端に設けられた操作ノブ５８とによって構成されている。
Ｙピニオン５７は、上述したＸピニオン５２と同様に、その上面が本体軸４１のフランジ部４７の下面と当接しており、下板１５の一面に形成されたＹラック２５と噛合するように構成されている。
操作ノブ５８は、上述した操作ノブ５３と同様に、その外径が軸部５６の外径よりも大きくなるように形成されており、ラジアル方向から螺合された図示しないネジによって軸部５６に取り付け固定されている。
【００２４】
次に、上記の構成からなる顕微鏡用ステージ３を備える顕微鏡１の操作方法について説明する。まず、図示しない電源スイッチをＯＮ状態とすることで、ランプソケット５内部のランプを点灯させる。そして、調光ボリューム８を回転させて観察に必要な照明強度の確保を行い、接眼レンズ９を覗きながら粗微動ハンドル１１を回して観察試料Ｓにピントを合わせる。その後、以下のようにＸＹハンドル１８を回転させることで観察試料Ｓを動かして所望の観察位置に位置させる。
【００２５】
ここで、操作ノブ５８を上から見て右回り（左回り）に回転させると、Ｙピニオン５７と下板１５のＹラック２５とが噛合しているので、Ｙキー３３がＹ溝２３内部を摺動する。ここで、下板１５が顕微鏡本体２に取り付け固定されているので、上板１７及び中間ガイドユニット１６が、ＸＹハンドル１８と共に、＋Ｙ（―Ｙ）方向に移動する。
また、操作ノブ５３を上から見て右回り（左回り）に回転させると、Ｘピニオン５２と上板１７のＸラック３８とが噛合しているので、上述と同様に、Ｘキー３２がＸ溝３７内部を摺動する。ここで、Ｙキー３３とＹ溝２３とが嵌合しているため、中間ガイドユニット１６に対して、上板１７のみが、＋Ｘ（―Ｘ）方向に移動する。
このようにして、上板１７が下板１５に対して相対的に摺動し、観察試料Ｓの観察部位を所望の位置とする。
【００２６】
以上のように構成された顕微鏡用ステージ３及びこれを備える顕微鏡１によれば、上板１７を下板１５に対して移動可能とする中間ガイドユニット１６を備え、操作ノブ５３、５８を回動させることで上板１７を下板１５に対してＸ方向、Ｙ方向の異なる２方向に移動させることができるので、観察試料Ｓの観察位置を調節することが容易となる。
ここで、上板１７が、下板１５と面接触しながら下板１７に対して相対移動するので、上板１７の上面に載置された観察試料Ｓの重量が大きい場合であっても、安定して上板１７を下板１５に対して摺動させることができる。また、下板１５、上板１７及び中間ガイドユニット１６を薄くすることで顕微鏡用ステージ３の高さを低く抑えることができる。
【００２７】
次に、本発明の第２の実施形態について図５から図８を参照して説明する。なお、以下の説明において、上記実施形態で説明した構成要素には同一符号を付し、その説明を省略する。
第２の実施形態と第１の実施形態との異なる点は、第１の実施形態における顕微鏡用ステージ３では、中間ガイドユニット１６の一角にＸＹハンドル１８が連結されているが、本実施形態における顕微鏡用ステージ７０では、下板７１の一角にＸＹハンドル７２が連結されていることである。
【００２８】
すなわち、本実施形態における顕微鏡用ステージ７０は、図５から図８に示すように、下板７１と、中間ガイドユニット７３と、上板７４と、ＸＹハンドル７２と、ＸＹハンドル７２のＸハンドル（第２操作部）４２、Ｙハンドル（第１操作部）４３に連動して上板７４をＸ方向またはＹ方向へ移動させる伝達機構とを備えている。
下板７１には、図５において右手前側であって貫通孔２１と離間した位置にＸＹハンドル７２を取り付け固定するＸＹハンドル取付孔８１と、後述するＸラック（第２ラック）９１に設けられたＹ方向移動規制ピン９４を挿通するピン挿通孔（長穴）８２と、薄肉であるＹラック摺動溝８３と、ＸＹハンドル７２のフランジ部１０６が取り付け固定されるフランジ部８４とが形成されている。
上述した伝達機構は、中間ガイドユニット７３に設けられたＹラック（第１ラック）２５と、上板７４に設けられたＸラック（第２ラック）９１と、ＸＹハンドル７２のＹハンドル（第１操作部）１０３に設けられてＹラック２５に噛合するＹピニオン（第１ピニオン）５７と、ＸＹハンドル７２のＸハンドル（第２操作部）１０２に設けられてＸラック９１に噛合するＸピニオン（第２ピニオン）５２とを備えている。
【００２９】
ＸＹハンドル取付孔８１は、その内径がＹハンドル（第１操作部）１０３の外径とほぼ等しく、Ｙハンドル（第１操作部）１０３が中心軸の軸回りで回動可能となるように形成されている。
ピン挿通孔８２は、長軸方向がＸ軸と平行となるように形成された長穴であって、その長軸方向の長さがＹ方向移動規制ピン（移動規制部材）９４の外径と中間ガイドユニット７３のＸ軸方向の移動可能距離との和とほぼ等しくなっている。
中間ガイドユニット７３は、下面の一角にＹラック（第１ラック）２５が設けられている。このＹラック（第１ラック）２５は、Ｙラック摺動溝８３に摺動可能に当接されている。
【００３０】
上板７４は、右手前側にＸラック（第２ラック）９１がＹ方向に摺動可能に収納されるＸラック収納溝９２が形成されており、Ｘラック収納溝（装着溝）９２を覆うようにＸラック収納蓋９３が設けられている。
Ｘラック９１は、下方に突出するＹ方向移動規制ピン９４が設けられている。
Ｘラック収納溝９２のＹ軸方向の長さは、Ｘラック９１のＹ軸方向の長さと、ＸＹハンドル７２のＸピニオン（第２ピニオン）５２の外径と、中間ガイドユニット７３の移動可能距離との和とほぼ等しくなるように形成されている。
Ｘラック収納蓋９３には、長軸方向がＹ軸と平行であってＸＹハンドル７２の軸部１０５が貫通する貫通孔９５が形成されている。
【００３１】
ＸＹハンドル７２は、本体軸１０１と、Ｘハンドル（第２操作部）１０２と、Ｙハンドル（第１操作部）１０３とを備えている。
本体軸１０１は、軸部１０５と、フランジ部１０６とによって構成されている。このフランジ部１０６の下面は、フランジ部８４及びＹピニオン（第１ピニオン）５７と当接しており、フランジ部８４に連結されている。
Ｘハンドル１０２は、軸部１１１と、Ｘピニオン５２と、操作ノブ５３とを備えている。
Ｘピニオン５２は、Ｘラック収納溝９２内で、Ｘラック９１と噛合するように配置されている。
Ｙハンドル１０３は、軸部１１５と、Ｙピニオン５７と、操作ノブ５８とを備えている。
【００３２】
次に、上記の構成からなる顕微鏡用ステージ７０を備える顕微鏡の操作方法について説明する。まず、上述した第１の実施形態と同様に、観察試料Ｓに照明光を照射し、ＸＹハンドル７２を適宜回転させることで観察試料Ｓを動かして所望の観察位置に位置させる。
ここで、操作ノブ５８を上から見て右回り（左回り）に回転させると、Ｙピニオン５７とＹラック２５とが噛合しているので、Ｙラック２５がＹラック摺動溝８３内部を摺動すると共にＹキー３３がＹ溝２３内部を摺動する。これにより、上板７４及び中間ガイドユニット７３が、＋Ｙ（―Ｙ）方向に移動する。このとき、Ｙ方向移動規制ピン９４が、下板７１のピン挿通孔８２に挿通されており、Ｘラック９１がＹ方向に移動することが規制されているので、Ｘラック９１に対してＸラック収納溝９２が上板７４と一体に移動する。そのため、中間ガイドユニット７３及び上板７４がＹ方向に移動しても、Ｘラック９１とＸピニオン５２とは、静止して噛合状態を維持する。
また、操作ノブ５３を上から見て右回り（左回り）に回転させると、Ｘピニオン（第２ピニオン）５２とＸラック（第２ラック）９１とが噛合しているので、Ｘキー３２がＸ溝３７内部を摺動する。これにより、上板７４が、＋Ｘ（―Ｘ）方向に移動する。
このようにして、上板７４が下板７１に対してＸ軸方向とＹ軸方向とに相対的に摺動し、観察試料Ｓの観察部位を所望の位置とする。
【００３３】
以上のように構成された顕微鏡用ステージ７０によれば、上述した第１の実施形態と同様の作用、効果を有するが、ＸＹハンドル７２は、Ｘハンドル１０２及びＹハンドル１０３を適宜回動して上板７４を下板７１に対して摺動させても、下板７１に対して移動することがない。これにより、観察者は、常に同じ姿勢で観察試料Ｓの観察を行うことができる。したがって、最も操作しやすい位置にＸＹハンドル７２を設けることも可能である。
【００３４】
なお、本発明は上記実施形態に限定されるものではなく、本発明の趣旨を逸脱しない範囲において種々の変更を加えることが可能である。
例えば、上記実施形態において、ＸキーとＸ溝とが摺動可能に嵌合することによって、上板が中間ガイドユニットに対して相対的にＸ軸方向に移動可能となり、ＹキーとＹ溝とが摺動可能に嵌合することによって、中間ガイドユニットが下板に対して相対的にＹ軸方向に移動可能となっているが、他の直進ガイド構造、例えばボールとコロとを用いた転がりの直進ガイド構造などであってもよい。
【００３５】
また、上記第２の実施形態において、Ｘラックが上板に形成されたＸラック収納溝に沿って摺動可能となっているが、上述と同様に、他の直進ガイド構造であってもよく、また、ボールとコロとを用いた転がりの直進ガイド構造であってもよい。
また、Ｘラックに設けられたＹ方向移動規制ピンと、下板に形成されたピン挿通孔との摺動構造も、すべりの直進ガイド構造であっても、ボールとコロとを用いた転がりの直進ガイド構造であってもよい。
【００３６】
また、上板の外れ及び浮きについて記載していないが、Ｘキーと下板との間に抜け止めを構成し、Ｙキーと上板との間で抜け止めを構成することによってこれらを抑制することができる。
そして、各キーと各溝との摺動における潤滑について記載していないが、一般的な潤滑剤を施すことによって、動きが滑らかに、軽くなることは容易に考えられる。
また、ＸＹハンドル１８の配置位置が、観察者から見て右手前であるが、左手前や、右奥、左奥であってもよく、他の場所であってもよい。
【図面の簡単な説明】
【００３７】
【図１】本発明の第１の実施形態における顕微鏡を示す正面図である。
【図２】図１の顕微鏡用ステージを一部破断して示す平面図である。
【図３】図２におけるＡ−Ａ線縦断面図である。
【図４】図２の中間ガイドユニットを示すもので、（ａ）は平面図、（ｂ）は正面図、（ｃ）は裏面図である。
【図５】本発明の第２の実施形態における顕微鏡用ステージを一部破断して示す平面図である。
【図６】図５におけるＢ−Ｂ線縦断面図である。
【図７】図５におけるＣ−Ｃ線縦断面図である。
【図８】図５の中間ガイドユニットを示すもので、（ａ）は平面図、（ｂ）は正面図、（ｃ）は裏面図である。
【符号の説明】
【００３８】
１  顕微鏡
３、７０  顕微鏡用ステージ
６  対物レンズ
１５、７１  下板
１６、７３  中間ガイドユニット
１７、７４  上板
１８、７２  ＸＹハンドル（操作ハンドル）
２２  ハンドル貫通孔（長穴）
２５  Ｙラック（第１ラック）
３８、９１  Ｘラック（第２ラック）
４２、１０２  Ｘハンドル（第２操作部）
４３、１０３  Ｙハンドル（第１操作部）
５２  Ｘピニオン（第２ピニオン）
５７  Ｙピニオン（第１ピニオン）
８２  ピン挿通孔（長穴）
９２  Ｘラック収納溝（装着溝）
９４  Ｙ方向移動規制ピン（移動規制部材）
Ｓ  観察試料
【図１】
2006023625.tif 000003
【図２】
2006023625.tif 000004
【図３】
2006023625.tif 000005
【図４】
2006023625.tif 000006
【図５】
2006023625.tif 000007
【図６】
2006023625.tif 000008
【図７】
2006023625.tif 000009
【図８】
2006023625.tif 000010